(57)【要約】【課題】  デジタル放送を録画し、再生する録画再生機において、録画した番組の中におけるキーワードに対応づけられたハイライトシーンを再生させることにより、視聴者にとって効率の良い再生を実現すること。【解決手段】  放送局８００から受信されたデジタルテレビ放送に含まれる番組の番組データを録画する。そして、当該番組の放送を時間帯で区分した複数の時間帯それぞれについて当該時間帯中の当該放送内容に関するキーワードを記憶している受信番組キーワードリスト９２０を、サービス会社サーバ９００から受信する。そして、受信された受信番組キーワードリスト９２０に記憶されたキーワードのうち、所定条件を満たすキーワードに対応する時間帯の映像及び音声を再生する。【選択図】図１
2005252586.tif 000002
【特許請求の範囲】
【請求項１】
デジタルテレビ放送を受信する受信手段と、
この受信手段により受信されたデジタルテレビ放送に含まれる選局番組の映像及び音声を記録する記録手段と、
前記選局番組の放送を時間帯で区分した複数の時間帯それぞれについて当該時間帯中の当該放送内容に関するキーワードを記憶するキーワード記憶手段と、
このキーワード記憶手段により記憶されたキーワードのうち、所定条件を満たすキーワードに対応する時間帯の映像及び音声を前記記録手段から読み出して再生する制御を行う再生制御手段と、
を備えることを特徴とする録画再生機。
【請求項２】
前記選局番組の放送を時間帯で区分した当該時間帯ごとにキーワードを記憶するサーバシステムから、一部又は全部のキーワードとそのキーワードに対応する時間帯とを取得し、前記キーワード記憶手段に記憶させるキーワード取得制御手段を更に備えることを特徴とする請求項１に記載の録画再生機。
【請求項３】
前記キーワード記憶手段により記憶されたキーワードの中からユーザ操作に従ってキーワードを選択する選択手段を更に備え、
前記再生制御手段は、前記所定条件として前記選択手段により選択されたキーワードに対応する時間帯の映像及び音声を再生する制御を行う手段である、
ことを特徴とする請求項１又は２に記載の録画再生機。
【請求項４】
前記再生制御手段は、前記所定条件を満たすキーワードの数に基づいて、再生する時間帯の順序を決定する再生順序決定手段を有することを特徴とする請求項１から３の何れか一項に記載の録画再生機。
【請求項５】
前記再生制御手段は、前記所定条件を満たすキーワードに対応する時間帯であって、前記所定条件を満たすキーワードの数が所定の頻度条件を満たす時間帯の映像及び音声を前記記録手段から読み出して再生する制御を行う頻度基準再生制御手段を有することを特徴とする請求項１から４の何れか一項に記載の録画再生機。
【請求項６】
デジタルテレビ放送を受信し、映像及び音声の記録及び再生を行う録画再生機と、サーバシステムとが通信接続可能に構成された録画再生システムであって、
前記サーバシステムは、
前記デジタルテレビ放送を時間帯で区分した各時間帯ごとのキーワードを記憶する記憶手段と、
前記録画再生機から受信した選択指示信号に従って、前記記憶手段により記憶されたキーワードの中からキーワードを選択する選択手段と、
この選択手段により選択されたキーワードと、そのキーワードに対応する時間帯のデータとを前記録画再生機に送信する送信手段と、
を備え、
前記録画再生機は、
キーワードを選択する選択指示信号を前記サーバシステムに送信する選択指示信号送信手段と、
前記サーバシステムからキーワード及びそのキーワードに対応する時間帯のデータを受信する受信手段と、
この受信手段により受信されたキーワードのうち、所定条件を満たすキーワードに対応する時間帯の映像及び音声を前記記録した映像及び音声の中から読み出して再生する制御を行う再生制御手段と、
を備えることを特徴とする録画再生システム。
【請求項７】
デジタルテレビ放送を受信する受信手段と、コンピュータとを備える装置の前記コンピュータに、
前記受信手段により受信されたデジタルテレビ放送に含まれる選局番組の映像及び音声を記録する記録機能と、
前記選局番組の放送を時間帯で区分した複数の時間帯それぞれについて当該時間帯中の当該放送内容に関するキーワードを記憶するキーワード記憶機能と、
このキーワード記憶機能により記憶されたキーワードのうち、所定条件を満たすキーワードに対応する時間帯の映像及び音声を前記記録手段から読み出して再生する制御を行う再生制御機能と、
を実現させるためのプログラム。
【発明の詳細な説明】
【技術分野】
【０００１】
本発明は、録画再生機、録画再生システム及びプログラムに関する。
【背景技術】
【０００２】
現在、デジタルテレビ放送では、ＢＳ（Broadcasting Satellite）を用いたＢＳデジタルテレビ放送や、ＣＳ（Communication Satellite）を用いたＣＳデジタルテレビ放送が普及している。また、地上波デジタルテレビ放送が２００３年１２月より開始され、地上波アナログテレビ放送から地上波デジタルテレビ放送への移行段階にある。地上波デジタルテレビ放送では、変調方式としてＯＦＤＭ（Orthogonal Frequency Division Multiplexing：直交周波数分割多重化方式）方式が用いられ、複数の電波（具体的には、映像や音声、データ放送等）が多重化されて送信されている。
【０００３】
そして、デジタルテレビ放送に含まれているデータ放送を利用して電子番組表を表示することが知られている。ユーザは電子番組表を見ながら、気楽に録画予約を実行することができる。更に、ユーザは所望するキーワードを登録しておくことにより、電子番組表の中からキーワードを含む番組を自動的に選択し、録画する発明が知られている（例えば、特許文献１参照）。また、最近では録画再生機の記憶装置としてＤＶＤ（Digital Versatile Disk）規格を利用したＤＶＤ−ＲＡＭや、ハードディスクを利用した大容量の録画再生機が販売されており、録画時間を気にすることなく手軽に録画することが可能となっている。
【特許文献１】特開２００１−３２６９２５号公報
【発明の開示】
【発明が解決しようとする課題】
【０００４】
しかしながら、視聴者は電子番組表に基づいて番組を気軽に録画したり、キーワードを含む番組が自動的に録画されたりすることにより、録画再生機の記憶装置には多くの番組が録画されてしまう。特に、ハードディスク等の大容量記憶装置を内蔵した録画再生機では、本体のみで数百時間分の番組が録画可能なため、気が付くと多くの番組が録画され、蓄積されているという状態がまま起こる。
【０００５】
ところが、実際に視聴者が視聴する際には、物理的な時間が必要となる。例えば１０時間の番組を録画すれば、視聴者が番組総てを視聴する際にも１０時間の視聴時間がかかってしまう。従って、物理的な時間の制約から、録画した番組総てを視聴することができなくなり、次の番組を録画するために削除せざるを得ないこととなる。
【０００６】
特に、プロ野球中継番組や、サッカー中継番組のようなスポーツ番組の場合には、総てのシーンを視聴する必要はなく、ホームランを打ったシーン（場面）や、シュートをしたシーン等のように、番組中の見せ場となるハイライトシーンを中心に効率的に視聴したいという要望があった。また、歌番組等においても、視聴者が気になっている歌手のシーンだけを視聴したいという要望があった。
【０００７】
尚、倍速再生や早送り等の技術を利用する方法が知られているが、これらは単に映像全体の視聴時間を短縮する技術に過ぎず、結果として番組総てを視聴する必要があり、効率的ではなかった。
【０００８】
そこで、上記課題に鑑み、本発明は、デジタル放送を録画し、再生する録画再生機において、録画した番組の中におけるキーワードに対応づけられたハイライトシーンを再生させることにより、視聴者にとって効率の良い再生を実現することを目的としている。
【課題を解決するための手段】
【０００９】
以上の課題を解決するために、請求項１に記載された発明の録画再生機は、
デジタルテレビ放送を受信する受信手段（例えば、図３のテレビ部５０）と、
この受信手段により受信されたデジタルテレビ放送に含まれる選局番組の映像及び音声を記録する記録手段（例えば、図３のハードディスク４０；番組データ４０２）と、
前記選局番組の放送を時間帯で区分した複数の時間帯それぞれについて当該時間帯中の当該放送内容に関するキーワードを記憶するキーワード記憶手段（例えば、図３のハードディスク４０；番組キーワードリスト４０４）と、
このキーワード記憶手段により記憶されたキーワードのうち、所定条件を満たすキーワードに対応する時間帯の映像及び音声を前記記録手段から読み出して再生する制御を行う再生制御手段（例えば、図３のＣＰＵ１０；図８のステップＳ１１２）と、
を備えることを特徴とする。
【００１０】
また、請求項７に記載された発明のプログラムは、
デジタルテレビ放送を受信する受信手段（例えば、図３のテレビ部５０）と、コンピュータとを備える装置の前記コンピュータに、
前記受信手段により受信されたデジタルテレビ放送に含まれる選局番組の映像及び音声を記録する記録機能（例えば、図３のハードディスク４０；番組データ４０２）と、
前記選局番組の放送を時間帯で区分した複数の時間帯それぞれについて当該時間帯中の当該放送内容に関するキーワードを記憶するキーワード記憶機能（例えば、図３のハードディスク４０；番組キーワードリスト４０４）と、
このキーワード記憶機能により記憶されたキーワードのうち、所定条件を満たすキーワードに対応する時間帯の映像及び音声を前記記録手段から読み出して再生する制御を行う再生制御機能（例えば、図３のＣＰＵ１０；図８のステップＳ１１２）と、
を実現させることを特徴としている。
【００１１】
請求項１又は７に記載の発明によれば、選局番組の映像及び音声（以下、単に「番組」という。）の放送を時間帯で区分した複数の時間帯それぞれについて当該時間帯中の当該放送内容に関するキーワードのうち、所定条件を満たすキーワードに対応する時間帯の映像及び音声を再生することができる。従って、映像及び音声を再生する際に、所定条件を満たす部分についてのみ再生することができるため、短い時間で視聴することができる。
【００１２】
請求項２に記載された発明は、請求項１に記載の録画再生機において、
前記選局番組の放送を時間帯で区分した当該時間帯ごとにキーワードを記憶するサーバシステムから、一部又は全部のキーワードとそのキーワードに対応する時間帯とを取得し、前記キーワード記憶手段に記憶させるキーワード取得制御手段（例えば、図３のＣＰＵ１０；図１０のステップＳ３０４）を更に備えることを特徴とする。
【００１３】
請求項２に記載の発明によれば、番組の放送を時間帯で区分した当該時間帯ごとにキーワードを記憶するサーバシステムから、一部又は全部のキーワードとそのキーワードに対応する時間帯とを取得し、取得したキーワードに対応する時間帯の映像及び音声を再生することができる。従って、視聴者が必要とするキーワードに応じた時間帯をサーバから取得することができる。
【００１４】
請求項３に記載の発明は、請求項１又は２に記載の録画再生機において、
前記キーワード記憶手段により記憶されたキーワードの中からユーザ操作に従ってキーワードを選択する選択手段（例えば、図３のＣＰＵ１０；図１１のステップＳ４０６、４０８）を更に備え、
前記再生制御手段は、前記所定条件として前記選択手段により選択されたキーワードに対応する時間帯の映像及び音声を再生する制御を行う手段（例えば、図３のＣＰＵ１０；図８のステップＳ１１２）である、
ことを特徴とする。
【００１５】
請求項３に記載の発明によれば、所定条件として選択手段により選択されたキーワードに対応する時間帯の映像及び音声を再生することが出来る。従って、ユーザがキーワードを選択することにより、更に所望する映像及び音声について再生することができる。
【００１６】
請求項４に記載の発明は、請求項１〜３の何れか一項に記載の録画再生機において、
前記再生制御手段は、前記所定条件を満たすキーワードの数に基づいて、再生する時間帯の順序を決定する再生順序決定手段（例えば、図３のＣＰＵ１０；図１１のステップＳ４１２）を有することを特徴とする。
【００１７】
請求項４に記載の発明によれば、所定条件を満たすキーワードの数に基づいて、再生する時間帯の順序を決定して、キーワードに対応する時間帯の映像及び音声を再生することができる。従って、キーワードが含まれている数に応じて再生する時間帯の順序を変化させることができ、より多くのキーワードが含まれている時間帯の映像及び音声を優先的に再生することができる。
【００１８】
請求項５に記載の発明は、請求項１〜４の何れか一項に記載の録画再生機において、
前記再生制御手段は、前記所定条件を満たすキーワードに対応する時間帯であって、前記所定条件を満たすキーワードの数が所定の頻度条件を満たす時間帯の映像及び音声を前記記録手段から読み出して再生する制御を行う頻度基準再生制御手段（例えば、図３のＣＰＵ１０；図１２のステップＳ５０６、Ｓ５０８）を有することを特徴とする。
【００１９】
請求項５に記載の発明によれば、所定条件を満たすキーワードに対応する時間帯であって、所定条件を満たすキーワードの数が所定の頻度条件を満たす時間帯の映像及び音声を順次再生することができる。従って、所定条件を満たすキーワードに対応する時間帯が多い場合に、更に頻度条件を満たす時間帯のみを再生するといったことができる。
【００２０】
請求項６に記載された発明の録画再生システムは、
デジタルテレビ放送を受信し、映像及び音声の記録及び再生を行う録画再生機（例えば、図１の録画再生機１）と、サーバシステム（例えば、図１のサービス会社サーバ９００）とが通信接続可能に構成された録画再生システムであって、
前記サーバシステムは、
前記デジタルテレビ放送を時間帯で区分した各時間帯ごとのキーワードを記憶する記憶手段（例えば、図１のサービス会社サーバ９００）と、
前記録画再生機から受信した選択指示信号に従って、前記記憶手段により記憶されたキーワードの中からキーワードを選択する選択手段（例えば、図１のサービス会社サーバ９００）と、
この選択手段により選択されたキーワードと、そのキーワードに対応する時間帯のデータとを前記録画再生機に送信する送信手段（例えば、図１のサービス会社サーバ９００）と、
を備え、
前記録画再生機は、
キーワードを選択する選択指示信号を前記サーバシステムに送信する選択指示信号送信手段（例えば、図３のＣＰＵ１０；図９のステップＳ２０８）と、
前記サーバシステムからキーワード及びそのキーワードに対応する時間帯のデータを受信する受信手段（例えば、図３のＣＰＵ１０；図１０のステップＳ３００）と、
この受信手段により受信されたキーワードのうち、所定条件を満たすキーワードに対応する時間帯の映像及び音声を前記記録した映像及び音声の中から読み出して再生する制御を行う再生制御手段（例えば、図３のＣＰＵ１０；図１２のステップＳ５０６，Ｓ５０８）と、
を備えることを特徴とする。
【００２１】
請求項６に記載の発明によれば、録画再生機は、サーバからキーワードと、当該キーワードに対応する時間帯のデータとを受信し、受信したキーワードを基に所定の条件を満たすキーワードに対応する時間帯の映像及び音声のみを再生するといったことができる。
【発明の効果】
【００２２】
請求項１又は７に記載の発明によれば、選局番組の放送を時間帯で区分した複数の時間帯それぞれについて当該時間帯中の当該放送内容に関するキーワードのうち、所定条件を満たすキーワードに対応する時間帯の映像及び音声を再生することができる。従って、映像及び音声を再生する際に、所定条件を満たす部分についてのみ再生することができるため、短い時間で視聴することができる。
【００２３】
請求項２に記載の発明によれば、選局番組の放送を時間帯で区分した当該時間帯ごとにキーワードを記憶するサーバシステムから、一部又は全部のキーワードとそのキーワードに対応する時間帯とを取得し、取得したキーワードに対応する時間帯の映像及び音声を再生することができる。従って、視聴者が必要とするキーワードに応じた時間帯をサーバから取得することができる。
【００２４】
請求項３に記載の発明によれば、所定条件として選択手段により選択されたキーワードに対応する時間帯の映像及び音声を再生することが出来る。従って、ユーザがキーワードを選択することにより、更に所望する映像及び音声について再生することができる。
【００２５】
請求項４に記載の発明によれば、所定条件を満たすキーワードの数に基づいて、再生する時間帯の順序を決定して、キーワードに対応する時間帯の映像及び音声を再生することができる。従って、キーワード数が含まれている数に応じて再生する時間帯の順序を変化させることができ、より多くのキーワードが含まれている時間帯の映像及び音声を優先的に再生することができる。
【００２６】
請求項５に記載の発明によれば、所定条件を満たすキーワードに対応する時間帯であって、所定条件を満たすキーワードの数が所定の頻度条件を満たす時間帯の映像及び音声を順次再生することができる。従って、所定条件を満たすキーワードに対応する時間帯が多い場合に、更に頻度条件を満たす時間帯のみを再生するといったことができる。
【００２７】
請求項６に記載の発明によれば、録画再生機は、サーバからキーワードと、当該キーワードに対応する時間帯のデータとを受信し、受信したキーワードを基に所定の条件を満たすキーワードに対応する時間帯の映像及び音声のみを再生するといったことができる。
【発明を実施するための最良の形態】
【００２８】
以下、図面を参照して本発明を実施するための最良の形態を説明する。以下では、本発明を地上波デジタルテレビ放送を受信する録画再生機に適用した場合について説明するが、本発明の適用がこれに限定されるものではない。
【００２９】
［１．構成］
図１は、録画再生機１と、放送局８００と、サービス会社サーバ９００とを含むシステム全体を表す概略図である。録画再生機１は、番組データ８１０と、電子番組表８２０とを含むデジタルテレビ放送を放送局８００から受信する。また、サービス会社サーバ９００は、番組データ８３０と、電子番組表８４０とを含むデジタルテレビ放送を放送局８００から受信する。また、録画再生機１とサービス会社サーバ９００とはネットワーク３で接続されている。ここで、ネットワーク３は、インターネット等のTCP/IPで構築されたネットワークや、ISDN回線等でダイアルアップ接続されるネットワーク等の公知のネットワークで構築されているものとする。
【００３０】
ここで、録画再生機１は、後述する番組キーワードリスト要求テーブル３０４を含む送信メール９１０をサービス会社サーバ９００に送信する。そして、サービス会社サーバ９００は、受信した送信メール９１０に含まれる番組キーワードリスト要求テーブル３０４から、受信番組キーワードリスト９２０を生成し、録画再生機１に送信する。なお、受信番組キーワードリスト９２０は、後述する番組キーワードリスト４０４と同一の構成のものである。
【００３１】
続いて、録画再生機１について詳細に説明する。図２は録画再生機１と、録画再生機１と接続ケーブル７０ａを介して接続されているモニター７０の概観図である。また、図３は録画再生機１のブロック図である。図３に示すように、録画再生機１は、ＣＰＵ（Central Processing Unit）１０と、ＲＯＭ（Read Only Memory）２０と、ＲＡＭ（Random Access Memory）３０と、ハードディスク４０と、テレビ部５０と、出力部６０と、入力部８０と、記録装置８２と、通信装置８４とを備えて構成されており、モニター７０と、アンテナ５８とが接続されている。
【００３２】
［１．１  記憶領域］
ＲＯＭ２０は、各種初期設定、ハードウェアの検査、あるいは必要なプログラムのロード等を行うための初期プログラムを格納する読み出し専用メモリである。ＣＰＵ１０は、録画再生機１の電源投入時においてこの初期プログラムを実行することにより、録画再生機１の動作環境を設定する。
【００３３】
また、ＲＯＭ２０は、メニュー表示処理、各種設定処理、テレビ映像表示処理等の録画再生機１の動作に係る各種プログラムや、録画再生機１の備える種々の機能を実現するためのプログラム等を格納すると共に、メインプログラム２０２と、録画予約プログラム２０４と、番組キーワードリスト受信プログラム２０６と、設定プログラム２０８と、再生プログラム２１０とを格納する。
【００３４】
ＲＡＭ３０は、ＣＰＵ１０が実行する各種プログラムや、これらのプログラムの実行にかかるデータ等を一時的に保持する随時書き込み可能なメモリである。本実施形態では、電子番組表３０２と、番組キーワードリスト要求テーブル３０４と、設定情報記憶領域３０６と、再生キーワードグループ記憶領域３０８とを記憶するための領域が確保されている。
【００３５】
電子番組表３０２は、デジタル放送の番組表（放送するコンテンツの一覧表）を、記憶するための領域である。ＣＰＵ１０は、放送局８００から送信されたデジタル放送に含まれている電子番組表８２０のデータを分離し、ＲＡＭ３０に電子番組表３０２として記憶する。ここで、電子番組表自体は公知のものであるため、その説明の詳細を省略する。
【００３６】
番組キーワードリスト要求テーブル３０４は、録画再生機１から、サービス会社サーバ９００に対して、番組キーワードリストを要求する際に送信されるテーブルである。図４は、番組キーワードリスト要求テーブル３０４のデータ構成の一例を示す図である。図に示すように、番組キーワードリスト要求テーブル３０４には、項目としてユーザＩＤ（例えば、「1200354」）と、タイトル（例えば、「サッカー中継」）と、チャンネル（例えば、「４」）と、日付（例えば、「2004/02/01」）と、番組開始時刻（例えば、「19:00」）と、番組終了時刻（例えば、「21:00」）と、キーワードレベル（例えば、「１」）と、特定キーワードリスト（例えば、「ゴール、シュート、Ａチーム…」）とが記憶されている。なお、以下ではユーザＩＤと、タイトルと、チャンネルと、日付と、番組開始時刻と、番組終了時刻とを合わせて、適宜「番組情報」という。
【００３７】
ここで、番組キーワードリスト要求テーブル３０４に含まれる項目について簡単に説明する。まず、ユーザＩＤはユーザを特定するための一意に定められたキーである。サービス会社サーバ９００は、ユーザＩＤを参照することにより、視聴者（録画再生機１の利用者）を特定する。タイトル、チャンネル、日付、番組開始時刻、番組終了時刻は、録画予約処理において録画予約された番組に対応する内容を記憶している。キーワードレベルは、視聴者が要求するキーワードのレベルである。
【００３８】
ここで、キーワードのレベルとはユーザが要求する段階に応じて決められているものである。例えば、サッカー番組のキーワードの場合、レベル「１」の場合には、一般的なキーワード（例えば、「ゴール、シュート」等）が記憶されており、レベル「２」の場合には、サッカー好きの人向けのキーワード（例えば、「スルーパス、インターセプト」等）が記憶されており、レベルに応じてキーワードを決定する。なお、本実施形態においては、キーワードレベルと、キーワードの対応関係はサービス会社サーバ９００に記憶されているものとして説明するが、これに限定される訳ではない。
【００３９】
設定情報記憶領域３０６は、録画再生機１に関する設定等の情報が記憶されている領域である。図５は、設定情報記憶領域３０６のデータ構成の一例を示す図である。図に示すように、設定情報記憶領域３０６には、再生モード（例えば、「全部再生」）と、再生フラグ（例えば、「ＯＮ」）と、再生グループ（例えば、「ハイライト」）と、再生キーワードと、合致判定キーワードとを記憶している。
【００４０】
ここで、各項目の詳細については後述するが、簡単にその内容を説明する。再生モードは、録画再生機１が番組データを再生する際に参照される値であり、設定処理において設定される。再生フラグは、録画再生機１が番組データ４０２を再生中であるか否かを判定するためのフラグであり、「ＯＮ」「ＯＦＦ」で表される。再生グループは、再生モードが「グループ再生」と記憶されている場合に参照されるグループ名が、再生キーワードは、再生モードが「キーワード再生」と記憶されている場合に参照されるキーワードが記憶されている。合致判定キーワードは、ＣＰＵ１０が番組データを再生する際に直接比較する合致判定キーワードが記憶されている。
【００４１】
再生キーワードグループ記憶領域３０８は、再生キーワードグループ毎に属しているキーワードを対応づけて記憶している領域である。図６は、再生キーワードグループ記憶領域３０８のデータ構成の一例を示す図である。図に示すように、再生キーワードグループ記憶領域３０８は、グループ名（例えば、「Ａチーム」）と、キーワード（例えば、「Ａチーム、選手Ｘ、選手Ｙ、Ｏ監督」）とを対応づけて記憶している。なお、本実施の形態においては、グループ名とキーワードが予め対応づけられて記憶しているものとして説明するが、キーワードは例えばユーザが入力することによって設定したり、サービス会社サーバ９００から受信された番組キーワードリスト４０４から抽出した抽出キーワードを利用することによって設定することとしても良い。
【００４２】
ハードディスク４０は、録画再生機１で使用されるプログラムやデータファイル等が記憶されている。本実施形態では、録画データ４００と、候補キーワード記憶領域４０６とが記憶されている。
【００４３】
録画データ４００は、番組データ４０２と番組キーワードリスト４０４とを対応づけて記憶している領域である。ＣＰＵ１０は、放送局８００から受信されたデジタル放送の番組データ８１０を、ハードディスク４０の番組データ４０２として記憶する。また、サービス会社サーバ９００から受信番組キーワードリスト９２０を受信すると、ＣＰＵ１０は、ハードディスク４０の番組キーワードリスト４０４として記憶する。そして、番組データ４０２と、番組キーワードリスト４０４とを併せて録画データ４００として記憶している。
【００４４】
番組データ４０２は、デジタルテレビ放送の番組（コンテンツ）内容が記憶されているデータである。ここで、番組データ４０２の記憶形式としては、ＭＰＥＧ（Moving Picture Experts Group）形式や、ＡＶＩ(Audio-Video Interleaved file）形式等の公知の動画形式の一つであるものとする。
【００４５】
番組キーワードリスト４０４は、番組データの時間帯と、キーワードを対応づけて記憶しているデータであり、サービス会社サーバ９００から受信された受信番組キーワードリスト９２０が記憶されている。図７は、番組キーワードリスト４０４のデータ構成の一例を示す図である。番組キーワードリスト４０４は、番組情報と、今回送信分全キーワードシーンに関する情報と、各キーワードシーンに関する情報とを記憶している。
【００４６】
ここで、番組情報には、ユーザＩＤ（例えば、「1200354」）と、日付（例えば、「2004/02/01」）と、タイトル（例えば、「サッカー中継」）と、チャンネル（例えば、「４」）と、番組開始時刻（例えば、「19:00」）と、番組終了時刻（例えば、「21:00」）とが記憶されている。
【００４７】
また、今回送信分全キーワードシーンには、インデックス番号（例えば、「１」）と、キーワードシーン合計時間（例えば、「0:50:10」）と、抽出キーワード合計（例えば、「１５０」）と、抽出キーワードレベル（例えば、「１」）と、抽出キーワードリスト（例えば、「ゴール、シュート…」）と、抽出キーワード出現回数（例えば、「ゴール  ３回、シュート  １０回」）とが記憶されている。
【００４８】
さらに、各キーワードシーンには、キーワードシーンの時間帯として、開始時刻（例えば、「19:00:00」）と、終了時刻（例えば、「19:00:15」）とを記憶しており、更に当該シーンに含まれるシーン別キーワード数（例えば、「２」）と、シーン別キーワードリスト（例えば、「番組開始、試合開始」）とが記憶されている。
【００４９】
ここで、夫々の項目について簡単に説明する。まず、番組情報は、番組キーワードリスト要求テーブル３０４に記憶されている番組情報と同一のものであり、どの番組データに対応するキーワードリストかを識別するための情報である。
【００５０】
続いて、今回送信分全キーワードシーンの情報に含まれる項目について説明する。インデックス番号は、同一の番組において、何回目のキーワードリストで有るかを識別するための情報である。ＣＰＵ１０は、インデックス番号を参照することにより、受信番組キーワードリスト９２０と、番組キーワードリスト４０４とのどちらのキーワードリストが新しいかを判定することができる。キーワードシーン合計時間は、各キーワードシーンを再生した際のそれぞれの時間の合算した合計時間を表したものである。抽出キーワード合計は、抽出キーワードがいくつ記憶されているかの合計である。抽出キーワードレベルは、抽出キーワードのレベルを表すものであり、番組キーワードリスト要求テーブル３０４に記憶されているキーワードレベルと同一のものである。抽出キーワード出現回数は、抽出キーワードの頻度情報として、抽出回数が夫々何回出現しているかを示すものである。
【００５１】
さらに、各キーワードシーンに含まれる項目について説明する。開始時刻及び終了時刻は、当該キーワードシーンの時間帯が開始する時刻及び終了する時刻である。シーン別キーワード数は、当該キーワードシーンに含まれているシーン別キーワード数である。シーン別キーワードリストは、当該キーワードシーンに含まれているキーワードのリストである。
【００５２】
候補キーワード記憶領域４０６は、候補キーワードを記憶するための領域である。候補キーワードとは、視聴者がキーワードを入力する際に、選択させる候補となるキーワードである。例えば、ＣＰＵ１０は、番組キーワードリスト４０４に含まれているキーワードを候補キーワードとして、候補キーワード記憶領域４０６に記憶させる。
【００５３】
［１．２  ＣＰＵ］
ＣＰＵ１０は、入力される指示に応じて所定のプログラムに基づいた処理を実行し、各機能部への指示やデータの転送を行う中央演算装置である。具体的には、ＣＰＵ１０は、入力部８０から入力される操作信号に応じてＲＯＭ２０に格納されたプログラムを読み出し、当該プログラムに従って処理を実行する。そして、表示制御信号を適宜映像出力部６４に出力して、モニター７０に処理結果を表示させる。
【００５４】
また、ＣＰＵ１０は、本実施の形態において、ＲＯＭ２０に記憶されたメインプログラム２０２に従ったメイン処理（図８参照）を実行すると共に、このメイン処理において、録画予約プログラム２０４を読み出して録画予約処理（図９参照）を、番組キーワードリスト受信プログラム２０６を読み出して番組キーワードリスト受信処理（図１０参照）を、設定プログラム２０８を読み出して設定処理（図１１参照）を、再生プログラム２１０を読み出して再生処理（図１２参照）を、夫々サブルーチンとして実行する。
【００５５】
具体的に、ＣＰＵ１０は、メイン処理において、初期化処理、録画予約処理を実行する。そして、ＣＰＵ１０は、現在の時刻が録画予約時刻である場合には録画処理を実行する。更に、ＣＰＵ１０は、番組キーワードリスト受信処理、設定処理、再生処理を実行し、その他の処理を実行した後に、再び録画予約処理から処理を繰り返し実行する。
【００５６】
また、ＣＰＵ１０は、録画予約処理において、視聴者が所定の番組を録画することを予約（以下、適宜「録画予約」という。）した場合には、キーワードレベル及び特定キーワードを入力させる。そして、録画予約された番組の情報と併せて番組キーワードリスト要求テーブル３０４を作成し、送信メールとしてサービス会社サーバ９００に送信する。
【００５７】
また、ＣＰＵ１０は、番組キーワードリスト受信処理において、受信番組キーワードリスト９２０を受信した場合には、受信番組キーワードリスト９２０の番組情報と同一の番組情報が番組キーワードリスト４０４に記憶されているか否かを判定する。そして、ＣＰＵ１０は、番組キーワードリスト４０４に受信番組キーワードリスト９２０と同一の番組情報が記憶されていない場合には、受信番組キーワードリスト９２０を番組キーワードリスト４０４としてハードディスク４０に記憶する。他方、同一の番組情報が番組キーワードリスト４０４に既に記憶されている場合には、ＣＰＵ１０は、受信番組キーワードリスト９２０のインデックス番号と番組キーワードリスト４０４のインデックス番号とを比較する。そして、受信番組キーワードリスト９２０に記憶されているインデックス番号の方が、番組キーワードリスト４０４に記憶されているインデックス番号より大きい場合には、番組キーワードリスト４０４を、受信番組キーワードリスト９２０で更新記憶する。そして、ＣＰＵ１０は、番組キーワードリスト４０４に含まれている抽出キーワードを、候補キーワードとして候補キーワード記憶領域４０６に記憶する。
【００５８】
また、ＣＰＵ１０は、設定処理において、設定スイッチ８０ｃが押下された場合には、視聴者に再生モードを選択させる。そして、ＣＰＵ１０は、再生モードに応じて合致判定キーワードを決定し、設定情報記憶領域３０６に記憶する。
【００５９】
また、ＣＰＵ１０は、再生処理において、再生フラグがＯＦＦの場合に、再生スイッチ８０ａが押下されると、番組キーワードリスト４０４を読み込む。そして、ＣＰＵ１０は、番組キーワードリスト４０４に含まれるシーン別キーワードリストと、設定情報記憶領域３０６に記憶された合致判定キーワードに合致するシーンの再生位置を決定し、当該再生位置から順次再生する。
【００６０】
［１．３  テレビ部］
テレビ部５０は、デジタルテレビ放送を受信するための回路ブロックであり、チューナ部５２と、ＯＦＤＭ（Orthogonal Frequency Division Multiplexing：直交周波数分割多重）復調部５４と、デコーダ部５６とを含んで構成されている。さらに、チューナ部５２は、アンテナ５８と接続されている。
【００６１】
チューナ部５２は、アンテナ５８と同調を図ることで、ユーザによって指定されたチャンネル（放送局）に対応する周波数のＯＦＤＭ信号（変調信号）を受信する。
【００６２】
ＯＦＤＭ復調部５４は、チューナ部５２から入力されたＯＦＤＭ信号を復調する。具体的には、入力されたＯＦＤＭ信号をＡＤ（Analog to Digital：アナログ・デジタル）変換してデジタル信号に変換した後、同期処理、ＦＦＴ（Fast Fourier Transform：高速フーリエ変換）演算、誤り訂正処理等を実行することで、ＴＳ（Transport Stream：トランスポート・ストリーム）を抽出する。
【００６３】
デコーダ部５６は、ＯＦＤＭ復調部５４から入力されたＴＳから映像信号、音声信号及びデータ信号を分離し、分離した音声信号を復号（デコード）して音声出力部６２に出力し、映像信号を復号（デコード）して映像出力部６４に出力し、データ信号をＣＰＵ１０に出力する。また、番組の録画時には、分離・復号した各信号（映像信号、音声信号及びデータ信号）をＣＰＵ１０に出力する。尚、音声信号及び映像信号はＭＰＥＧ等の公知の符号化方式で符号化されており、デコーダ部５６は、映像信号及び音声信号をそれぞれの符号化方式に対応する方式で復号する。
【００６４】
［１．４  入出力部等］
出力部６０は、ＣＰＵ１０から出力される表示信号に基づいて各種画面を表示したり、テレビ部５０から出力される映像又は音声を出力するものである。出力部６０には、音声信号を出力する音声出力部６２と、映像信号を出力する映像出力部６４とを含んで構成されている。また、出力部６０は、テレビ部５０からの映像信号及び音声信号を接続されているモニター７０に出力する。
【００６５】
モニター７０は、スピーカが内蔵された表示装置である。音声出力部６２から出力された音声信号を音として出力し、映像出力部６４から出力された映像信号を映像として出力する。ここで、モニター７０は、ＣＲＴ（Cathode Ray Tube）や、ＬＣＤ（Liquid Crystal Display）ディスプレイや、プラズマディスプレイ等から構成されている。
【００６６】
入力部８０は、数値や文字等の入力や、機能選択などに必要なスイッチ（ボタン）を備えた入力装置であり、押下されたスイッチの信号をＣＰＵ１０に出力する。この入力部８０におけるスイッチの入力により、処理の実行などを指示する制御命令の入力手段が実現される。
【００６７】
ここで、図２を参照すると、入力部８０には、再生スイッチ８０ａと、停止スイッチ８０ｂと、設定スイッチ８０ｃと、録画予約スイッチ８０ｄを含んで構成されている。ここで、再生スイッチ８０ａが押下されると、ＣＰＵ１０は、ハードディスク４０に記憶されている番組データ４０２を再生する。そして、停止スイッチ８０ｂが押下されると、ＣＰＵ１０は、番組データ４０２の再生を停止する。さらに、設定スイッチ８０ｃが押下されると設定処理が実行され、録画予約スイッチ８０ｄが押下されると録画予約処理が実行される。なお、この入力部８０は、各種スイッチが録画再生機１に配設されているものとして説明したが、これに限られるわけではなく、例えばいわゆるリモコン等の送信機に配設されることとしてもよいことは勿論のことである。
【００６８】
バス９０は、ＣＰＵ１０からのデータ等の電気信号を通す線路であり、ＣＰＵ１０と、ＲＯＭ２０と、ＲＡＭ３０と、ハードディスク４０と、テレビ部５０と、出力部６０と、入力部８０と、記録装置８２と、通信装置８４とをそれぞれ接続する信号線である。
【００６９】
［１．５  記録装置、通信装置］
記録装置８２は、ハードディスク４０に記憶されている録画データ４００を外部メディアに記録する装置である。具体的には、ビデオテープ、ＤＶＤ＋Ｒ、ＤＶＤ−ＲＡＭ、ＣＤ−Ｒ、Ｂｌｕ−ｒａｙ  Ｄｉｓｃ等のメディアに記録できる装置である。また、ハードディスク４０に、データ保存用の領域を確保し、録画データ４００を保存しておくことにしても良いは勿論である。
【００７０】
通信装置８４は、録画再生機１がネットワーク３を介してサービス会社サーバ９００とデータの送受信を行うものである。具体的には、モデムやＬＡＮカード等から構成されている。
【００７１】
［２．処理の流れ］
［２．１  メイン処理］
まず、メイン処理について説明する。図８は、メイン処理に係る録画再生機１の動作を説明するためのフローチャートである。このメイン処理は、ＣＰＵ１０が、ＲＯＭ２０に記憶されたメインプログラム２０２を実行することによって実現される処理である。
【００７２】
まず、ＣＰＵ１０は、初期化処理を実行する（ステップＳ１００）。初期化処理では、各種機器及び設定値等を初期化すると共に、放送局８００から電子番組表８２０を受信し、ＲＡＭ３０に電子番組表３０２として記憶する。
【００７３】
続いて、ＣＰＵ１０は、録画予約処理を実行する（ステップＳ１０２）。そして、現在時刻が録画予約時刻であれば（ステップＳ１０４；Ｙｅｓ）、ＣＰＵ１０は録画処理を実行する（ステップＳ１０６）。具体的には、ＣＰＵ１０は、放送局８００から受信した番組データ８１０を、ハードディスク４０に番組データ４０２として逐次記憶する。
【００７４】
そして、ＣＰＵ１０は、番組キーワードリスト受信処理と（ステップＳ１０８）、設定処理と（ステップＳ１１０）、再生処理と（ステップＳ１１２）を順次実行する。そして、その他の処理として、例えば時刻合わせ、チャンネル受信設定等の処理を実行すると（ステップＳ１１４）、ＣＰＵ１０は、ステップＳ１０２から処理を繰り返し実行する。
【００７５】
［２．２  録画予約処理］
次に、録画予約処理について説明する。図９は、録画予約処理に係る録画再生機１の動作を説明するためのフローチャートである。この録画予約処理は、ＣＰＵ１０が、ＲＯＭ２０に記憶された録画予約プログラム２０４を実行することによって実現される処理である。
【００７６】
ＣＰＵ１０は、番組の録画予約が完了したか否かを判定する（ステップＳ２００）。ここで、録画予約の方法は、次の通りである。即ち、録画予約の処理が視聴者（利用者）に選択されると、ＣＰＵ１０は、電子番組表３０２をモニター７０に表示する。そして、視聴者（利用者）が録画を予約する番組を選択すると、ＣＰＵ１０は選択された番組の録画予約をする。具体的には、ＣＰＵ１０はユーザにより選択された番組のタイトル（例えば、「サッカー中継」）と、チャンネル（例えば、「４」）と、日付（例えば、「２００４／０２／０１」）と、番組開始時刻（例えば、「１９：００」）と、番組終了時刻（例えば、「２１：００」）とを番組キーワードリスト要求テーブル３０４に記憶することにより、録画予約が完了する。
【００７７】
ここで、録画予約が完了していないと判定した場合には（ステップＳ２００；Ｎｏ）、ＣＰＵ１０は録画予約処理を終了し、メイン処理に処理を戻す。
【００７８】
一方、録画予約が完了すると（ステップＳ２００；Ｙｅｓ）、ＣＰＵ１０は、キーワードレベルを入力させる（ステップＳ２０２）。そして、ＣＰＵ１０は、入力されたキーワードレベルを番組キーワードリスト要求テーブル３０４に記憶する。
【００７９】
続いて、ＣＰＵ１０は特定キーワードを入力させ、入力された特定キーワードを番組キーワードリスト要求テーブル３０４に記憶する（ステップＳ２０４）。ここで、特定キーワードを入力させる方法としては、キー入力から直接入力させる方法であっても良いし、候補キーワード記憶領域４０６に記憶されている候補キーワードから選択させる方法等でも良い。
【００８０】
続いて、ＣＰＵ１０は、番組キーワードリスト要求テーブル３０４に基づいて送信メールを作成し（ステップＳ２０６）、サービス会社サーバ９００にメールを送信する（ステップＳ２０８）。
【００８１】
ここで、録画予約処理においては、番組キーワードリスト要求テーブル３０４をメールにて送信することとして説明したが、それに限定されるものではなく、他の方法を用いてサービス会社サーバ９００とデータを送受信しても良いことは勿論である。例えば、ＦＴＰ（File Transfer Protocol）を利用してサーバにデータを送信する方法でも良いし、ＨＴＴＰ（HyperText Transfer Protocol）を利用して送信する方法等でも良い。
【００８２】
［２．３  番組キーワードリスト受信処理］
次に、番組キーワードリスト受信処理について説明する。図１０は、番組キーワードリスト受信処理に係る録画再生機１の動作を説明するためのフローチャートである。この番組キーワードリスト受信処理は、ＣＰＵ１０が、ＲＯＭ２０に記憶された番組キーワードリスト受信プログラム２０６を実行することによって実現される処理である。
【００８３】
まず、ＣＰＵ１０は、受信番組キーワードリスト９２０を受信したか否かを判定する。ここで、受信番組キーワードリスト９２０を受信していない場合には（ステップＳ３００；Ｎｏ）、ＣＰＵ１０は番組キーワードリスト受信処理を終了し、メイン処理に処理を戻す。
【００８４】
受信番組キーワードリスト９２０を受信した場合には（ステップＳ３００；Ｙｅｓ）、ＣＰＵ１０は、同一の番組の番組キーワードリスト４０４がハードディスクに記憶されているか否かを判定する（ステップＳ３０２）。具体的には、ＣＰＵ１０は、受信番組キーワードリスト９２０の番組情報と、ハードディスク４０に記憶されている番組キーワードリスト４０４に記憶されている番組情報とが同一であるか否かを判定する。
【００８５】
ここで、受信番組キーワードリスト９２０の番組情報と同一の番組情報が番組キーワードリスト４０４に記憶されていない場合には（ステップＳ３０２；Ｎｏ）、ＣＰＵ１０は、受信した受信番組キーワードリスト９２０で番組キーワードリスト４０４を置き換える（ステップＳ３０４）。
【００８６】
一方、受信番組キーワードリスト９２０の番組情報と同一の番組情報が番組キーワードリスト４０４に記憶されている場合には（ステップＳ３０２；Ｙｅｓ）、ＣＰＵ１０は、受信番組キーワードリスト９２０のインデックス番号と番組キーワードリスト４０４のインデックス番号とを比較し、受信番組キーワードリスト９２０のインデックス番号の方が大きいか否か判定する（ステップＳ３０６）。ここで、受信番組キーワードリスト９２０のインデックス番号が、番組キーワードリスト４０４のインデックス番号より大きい場合には（ステップＳ３０６；Ｙｅｓ）、ＣＰＵ１０は、受信番組キーワードリスト９２０で番組キーワードリスト４０４を置き換える（ステップＳ３０８）。
【００８７】
次に、ＣＰＵ１０は、番組キーワードリスト４０４に含まれている抽出キーワードを、候補キーワードとして候補キーワード記憶領域４０６に蓄積記憶する（ステップＳ３１０）。そして、ＣＰＵ１０は、番組キーワードリスト受信処理を終了し、メイン処理に処理を戻す。
【００８８】
［２．４  設定処理］
次に、設定処理について説明する。図１１は、設定処理に係る録画再生機１の動作を説明するためのフローチャートである。この設定処理は、ＣＰＵ１０が、ＲＯＭ２０に記憶された設定プログラム２０８を実行することによって実現される処理である。
【００８９】
まず、ＣＰＵ１０は、設定スイッチ８０ｃが押下されたか否かを判定する（ステップＳ４００）。ここで、設定スイッチ８０ｃが押下された場合には（ステップＳ４００；Ｙｅｓ）、視聴者に再生モードを選択させる（ステップＳ４０２）。
【００９０】
そして、再生モードとして「キーワード再生」が選択された場合には（ステップＳ４０４；キーワード再生）、ＣＰＵ１０は、再生キーワードを視聴者に選択させて、当該選択された再生キーワードを設定情報記憶領域３０６に記憶する（ステップＳ４０６）。また、再生モードとして「グループ再生」が選択された場合には（ステップＳ４０４；グループ再生）、ＣＰＵ１０は、視聴者に再生グループを選択させ、当該選択された再生グループを設定情報記憶領域３０６に記憶する。
【００９１】
続いて、ＣＰＵ１０は、出現回数（出現頻度）を使用するか否かを判定する（ステップＳ４１０）。ここで、出現回数を使用しない設定である場合には（ステップＳ４１０；Ｎｏ）、ＣＰＵ１０は合致判定キーワードを決定し、設定情報記憶領域３０６に記憶する（ステップＳ４１４）。
【００９２】
合致判定キーワードを決定する方法としては、以下の様な方法が考えられる。まず、ＣＰＵ１０は設定情報記憶領域３０６から再生モードを読み出す。ここで、再生モードが「全部再生」となっている場合には、ＣＰＵ１０は番組キーワードリスト４０４に記憶されている抽出キーワードをそのまま合致判定キーワードとして、設定情報記憶領域３０６に記憶する。また、再生モードが「キーワード再生」となっている場合には、ＣＰＵ１０は設定情報記憶領域３０６に記憶されている再生キーワードを合致判定キーワードとして記憶する。さらに、再生モードが「グループ再生」となっている場合には、ＣＰＵ１０は設定情報記憶領域３０６に記憶されている再生グループを読み出す。そして、読み出された再生グループに対応するキーワードを、再生キーワードグループ記憶領域３０８から読み出し、合致判定キーワードとして記憶する。
【００９３】
また、出現回数を使用する設定である場合には（ステップＳ４１０；Ｙｅｓ）、出現回数の多い順番に合致判定キーワードを決定し、設定情報記憶領域３０６に記憶する（ステップＳ４１２）。
【００９４】
そして、ＣＰＵ１０は処理が一通り終了すると、設定処理を終了し、メイン処理に処理を戻す。
【００９５】
［２．５  再生処理］
次に、再生処理について説明する。図１２は、再生処理に係る録画再生機１の動作を説明するためのフローチャートである。この再生処理は、ＣＰＵ１０が、ＲＯＭ２０に記憶された再生プログラム２１０を実行することによって実現される処理である。
【００９６】
まず、ＣＰＵ１０は設定情報記憶領域３０６に記憶されている再生フラグがＯＮであるかを判定する（ステップＳ５００）。ここで、再生フラグがＯＦＦの場合には（ステップＳ５００；Ｎｏ）、ＣＰＵ１０は、再生スイッチ８０ａが押下されたか否かを判定する（ステップＳ５０２）。ここで、再生スイッチ８０ａが押下された場合には（ステップＳ５０２；Ｙｅｓ）、ＣＰＵ１０は番組キーワードリスト４０４を読み込む（ステップＳ５０４）。続いて、ＣＰＵ１０は、設定情報記憶領域３０６に記憶されている合致判定キーワードと、番組キーワードリスト４０４に記憶されているシーン別キーワードが合致するキーワードシーンの開始時刻を読み出し、再生位置として決定する（ステップＳ５０６）。そして、ＣＰＵ１０は、決定された再生位置から再生を開始し（ステップＳ５０８）、設定情報記憶領域３０６に記憶されている再生フラグをＯＮにする（ステップＳ５１０）。
【００９７】
他方、再生フラグがＯＮの場合には（ステップＳ５００；Ｙｅｓ）、ＣＰＵ１０は、停止スイッチ８０ｂが押下されたか否かを判定する（ステップＳ５２０）。ここで、停止スイッチＳ５２０が押下されていない場合には（ステップＳ５２０；Ｎｏ）、ＣＰＵ１０は再生処理を進行する（ステップＳ５２２）。そして、キーワードシーンの終了時刻の位置でない場合には（ステップＳ５２４；Ｎｏ）、ＣＰＵ１０はメイン処理に処理を戻す。
【００９８】
他方、再生位置がキーワード別シーンの終了時刻の位置である場合には（ステップＳ５２４；Ｙｅｓ）、ＣＰＵ１０は、キーワードシーンが最終のキーワードシーンか否かを判定する（ステップＳ５２６）。ここで、現在の再生位置が最終のキーワードシーンで無い場合には（ステップＳ５２６；Ｎｏ）、次のキーワードシーンの開始時刻を読み出し、再生位置を決定する（ステップＳ５３２）。
【００９９】
また、停止スイッチ８０ｂが押下された場合や（ステップＳ５２０；Ｙｅｓ）、再生しているキーワードシーンが最終のキーワードシーンである場合には（ステップＳ５２６；Ｙｅｓ）、ＣＰＵ１０は再生を終了し（ステップＳ５２８）、再生フラグをＯＦＦとして記憶する（ステップＳ５３０）。
【０１００】
［３．動作例］
次に、図を用いて録画再生機１の動作について説明する。図１３は、電子番組表３０２をモニター７０に表示画面Ｗ１００として表示した場合における一例を示す図である。ＣＰＵ１０は、表示画面Ｗ１００に、録画日付を表す日付領域Ｒ１００を表示する。そして、ユーザによって日付「１日（日）」が選択されると、識別表示Ｍ１００を付すと共に、画面右側に、「１日（日）」のテレビ番組のコンテンツを表形式として表す電子番組表Ｒ１０２を表示する。ここで、ユーザによって番組「サッカー中継」が選択されると、ＣＰＵ１０は、選択された番組のタイトル「サッカー中継」と、チャンネル「４」と、日付「2004/02/01」と、開始時刻「19:00」と、終了時刻「21:00」とを番組キーワードリスト要求テーブル３０４に記憶する。
【０１０１】
図１４は、図１３において番組が選択された後に表示される録画予約の画面をモニター７０に表示画面Ｗ２００として表示した一例を示す図である。ＣＰＵ１０は、選択された番組に含まれる録画日、チャンネル、録画開始時刻、終了時刻を領域Ｒ２００に表示している。続いて、ＣＰＵ１０は、キーワードレベルを領域Ｒ２０２において入力させる（図９のステップＳ２０２）。また、特定キーワードを選択させるために、ＣＰＵ１０は領域Ｒ２０４に、候補キーワード記憶領域４０６に記憶された候補キーワードを表示している。そして、視聴者（利用者）によって特定キーワードが選択されると、ＣＰＵ１０は、特別表示Ｔ１を施し、番組キーワードリスト要求テーブル３０４に記憶する（図９のステップＳ２０４）。
【０１０２】
図１５は、設定処理において、モニター７０に表示される表示画面Ｗ３００の一例を示す図である。ＣＰＵ１０は、領域Ｒ３００に再生モードを選択させるための表示を、領域Ｒ３２０に出現回数を利用するか否かを選択させるための表示をする。ＣＰＵ１０は、領域Ｒ３００に、再生モードとして全部再生（マークＭ３００）と、キーワード再生（マークＭ３０２）と、グループ再生（マークＭ３０４）とを選択させる表示を行う。そして、ユーザによって全部再生が選択されると（ボタンＢ３００）、ＣＰＵ１０は、設定情報記憶領域３０６の再生モードに「全部再生」と記憶する。
【０１０３】
さらに、ＣＰＵ１０は、領域Ｒ３２０に出現回数が多いものを表示させるか否かを、ＯＮ（マークＭ３２０）と、ＯＦＦ（マークＭ３２２）とを表示し、選択させる。そして、ユーザによって、ＯＦＦが選択されると（ボタンＢ３２０）、ＣＰＵ１０は、図１１のステップＳ４１４を実行する。
【０１０４】
図１６は、実際の映像の様子を説明するための概念図である。映像Ｅ１００は、番組データ４０２に記憶されている内容である。本図の場合、番組「サッカー中継」が１９時から２時間分記憶されている。ここで、合致判定キーワードと合致するキーワードシーンがシーンＧ１００、シーンＧ１０２、シーンＧ１０４であると判定される。
【０１０５】
映像Ｅ２００は、モニター７０に表示される様子を説明するための概念図である。ＣＰＵ１０は、合致判定キーワードと合致するキーワードシーンを抽出し、シーンＧ２００、シーンＧ２０２、シーンＧ２０４と順次再生する。
【０１０６】
従って、ユーザは番組データ４０２を総て再生する必要はなく、設定されたキーワードに合致したシーンのみを視聴することができる。
【０１０７】
このように、本実施形態によれば、デジタル放送を録画して再生する録画再生機１において、録画した番組の中におけるキーワードに対応づけられたキーワードシーンを再生させることにより、視聴者にとって効率の良い再生を実現することができる。
【０１０８】
［４．変形例］
なお、上述した実施形態では、録画再生機は、地上波デジタルテレビ放送を受信するものとして説明したがこれに限られる物ではないことは勿論である。例えば、ＣＳデジタル放送やＢＳデジタル放送であっても同様に適用可能である。さらに、これらのデジタルテレビ放送が、ケーブルテレビや、ネットワークを介して配信される番組配信サービス、ＶＯＤ（Video On Demand）サービス等を利用していても同様に適用可能であることは勿論である。
【０１０９】
また、上述した実施形態では、録画再生機は単体で使用されるいわゆる専用機として説明したが、本発明の録画再生機はこのような製品に限られるものではない。例えば、コンピュータに、デジタルビデオ放送を受信する受信ボードを内蔵することにより、録画再生機能を実現させたものや、ＰＤＡ（Personal Digital Assistants）・携帯電話等にデジタル放送受信装置を組み込んだ装置でも良い。
【０１１０】
また、設定処理において、出現回数を利用するといった設定の場合は、出現回数の多い順に合致判定キーワードを決定することとして説明したが、これに限定されるわけではなく、例えば所定の条件に一致するものに限って決定することとしたり、出現回数が所定回数以上である抽出キーワードに基づいて合致判定キーワードを決定することとしても良い。この場合、所定回数以上の抽出キーワードを先頭から抽出していくことにより、再生される順番は、時間通りの順番となり、特にスポーツ番組等のように、時間の進行が重要な放送（コンテンツ）においては有効である。
【０１１１】
また、再生処理において、番組を再生させる際に、番組キーワードリスト４０４に記憶されているキーワードシーン合計時間を表示させることとしても良い。キーワードシーンの合計時間が表示されることにより、所望の時間以下になるように、更に再生キーワードを特定することや、再生グループを変更する等より効率的に視聴することができる。
【０１１２】
また、本実施の形態においては、キーワードシーンに記憶されている開始時刻から終了時刻迄の番組データを再生することとして説明したが、例えば開始時刻の５秒前から終了時刻の５秒後まで再生させる等のように、キーワードシーンの前後を含めて再生しても良い。この場合、キーワードシーンの前後を視聴することにより、キーワードシーンの内容を把握しやすくなるといった効果がある。
【図面の簡単な説明】
【０１１３】
【図１】システム全体の概観図。
【図２】録画再生機及びモニターの概観図。
【図３】録画再生機の回路構成を示す構成図。
【図４】番組キーワードリスト要求テーブルのデータ構成の一例を示す図。
【図５】設定情報記憶領域のデータ構成の一例を示す図。
【図６】再生キーワードグループ記憶領域のデータ構成の一例を示す図。
【図７】番組キーワードリストのデータ構成の一例を示す図。
【図８】メイン処理の動作フローを示した図。
【図９】録画予約処理の動作フローを示した図。
【図１０】番組キーワードリスト受信処理の動作フローを示した図。
【図１１】設定処理の動作フローを示した図。
【図１２】再生処理の動作フローを示した図。
【図１３】録画予約処理における画面例を示した図。
【図１４】録画予約処理における画面例を示した図。
【図１５】設定処理における画面例を示した図。
【図１６】映像が再生される様子を説明する為の図。
【符号の説明】
【０１１４】
１  録画再生機
３  ネットワーク
１０    ＣＰＵ
２０    ＲＯＭ
２０２    メインプログラム
２０４    録画予約プログラム
２０６    番組キーワードリスト受信プログラム
２０８    設定プログラム
２１０    再生プログラム
３０    ＲＡＭ
３０２    電子番組表
３０４    番組キーワードリスト要求テーブル
３０６    設定情報記憶領域
３０８    再生キーワードグループ記憶領域
４０    ハードディスク
４００    録画データ
４０２  番組データ
４０４  番組キーワードリスト
４０６    候補キーワード記憶領域
５０    テレビ部
５２    チューナ部
５４    ＯＦＤＭ復調部
５６    デコーダ部
６０    出力部
６２    音声出力部
６４    映像出力部
７０    モニター
８０    入力部
８２    記憶装置
８４    通信装置
９０    バス
８００  放送局
８１０、８３０  番組データ
８２０、８４０  電子番組表
９００  サービス会社サーバ
９１０  送信メール
９２０  受信番組キーワードリスト
【図１】
2005252586.tif 000003
【図２】
2005252586.tif 000004
【図３】
2005252586.tif 000005
【図４】
2005252586.tif 000006
【図５】
2005252586.tif 000007
【図６】
2005252586.tif 000008
【図７】
2005252586.tif 000009
【図８】
2005252586.tif 000010
【図９】
2005252586.tif 000011
【図１０】
2005252586.tif 000012
【図１１】
2005252586.tif 000013
【図１２】
2005252586.tif 000014
【図１３】
2005252586.tif 000015
【図１４】
2005252586.tif 000016
【図１５】
2005252586.tif 000017
【図１６】
2005252586.tif 000018